(57)【要約】【課題】計器の種類に合わせて作製する必要がなく、簡単且つ安価な計器用バイパス端子構造から派生して、広く一般的に適用できるようにする。【解決手段】台錐状の接触面３１が互いに反対方向に突出して形成される雄端子３０と、該各接触面３１、３１に接離可能な接触凹部３３を有する一対の雌端子３２，３２と、該各雌端子３２、３２にそれぞれ接続される電源側の導体６ａ及び負荷側の導体６ｂと、雄端子３０および各雌端子３２，３２を締結する締結部材３５，３６とを備える。【選択図】図３
2011215156.tif 000002
【特許請求の範囲】
【請求項１】
台錐状の接触面（３１）が互いに反対方向に突出して形成される雄端子（３０）と、該各接触面（３１、３１）に接離可能な接触凹部（３３）を有する一対の雌端子（３２、３２）と、該各雌端子（３２、３２）にそれぞれ接続される電源側の導体（６ａ）及び負荷側の導体（６ｂ）と、雄端子（３０）及び各雌端子（３２、３２）を締結する締結部材とを備えたことを特徴とする接続端子構造。
【請求項２】
上記雄端子（３０）には、軸線に沿って貫通孔（３１ａ）が形成され、上記各雌端子（３２、３２）の接触凹部（３３）の底部には、挿通孔（３３ａ）が形成され、上記締結部材は、雄端子（３０）と各雌端子（３２、３２）とが一体化された状態において、一方の雌端子（３２）の挿通孔（３３ａ）、雄端子（３０）の貫通孔（３１ａ）を通って他方の雌端子（３２）の挿通孔（３３ａ）に挿通されるねじ棒（３５）と、他方の雌端子（３２）の挿通孔（３３ａ）から臨出するねじ棒（３５）の先端部に螺合するナット（３６）とから構成されることを特徴とする請求項１に記載の接続端子構造。
【請求項３】
上記雄端子（３０）には、貫通孔（３１ａ）に連通すべくその長さ方向に沿ってスリット（３１ｂ）が形成されてなることを特徴とする請求項１又は２に記載の接続端子構造。
【請求項４】
上記各雌端子（３２、３２）は、その対向面となる前記各接触凹部（３３、３３）の開口周縁部が平坦面に形成されることを特徴とする請求項１〜３のいずれか１項に記載の接続端子構造。
【発明の詳細な説明】
【技術分野】
【０００１】
本発明は、例えば電力量計といった計器の交換や補修の際、計器に接続されている一次側電線と、二次側電線とを取り外すことなく、即ち無停電の状態で交換や補修作業を行うための計器用バイパス端子構造から派生して広く一般に適用できる接続端子構造に関する。
【背景技術】
【０００２】
従来のこの種の計器用バイパス端子構造は、例えば電力量計に着脱可能に装着される端子台と、迂回通電回路を形成するための切換用接続体とを備えたものが公知になっている（特許文献１参照）。
【０００３】
端子台は、一次側電線が接続される電源側中継端子と、二次側電線が接続される負荷側中継端子と、該両中継端子にそれぞれ接続されると共に、電力量計に接続される接触導体とを有している。この端子台は予め電力量計に接続される。
【０００４】
電源側中継端子及び負荷側中継端子が順次左側から配設されており、中性線に対応する両中継端子が平板状の導体によって連結されている。
【０００５】
切換用接続体は、進退自在に設けられた３個の板状の可動接触子と、該各可動接触子の進退動作を個別に手動操作するつまみとを有している。中央の可動接触子は隣接する電源側及び負荷側の中継端子に跨って接触し、左右の可動接触子は対応する電源側及び負荷側の中継端子、即ち端子台の両端に位置する中継端子にそれぞれ接触するようになっている。
【０００６】
そして、電力量計を交換又は点検する場合は、各つまみを正方向に回動操作し、可動接触子を端子台の各接触導体に接触させると、各接触導体が同相同士で短絡接続され、これによって迂回通電回路が形成され、一次側電線と二次側電線が導通接続され、負荷側が通電された状態、即ち無停電の状態で電力量計の交換や点検作業が行えるようになっている。
【先行技術文献】
【特許文献】
【０００７】
【特許文献１】特開２００２−１３９５１８号公報
【発明の概要】
【発明が解決しようとする課題】
【０００８】
しかしながら、上記従来の計器用バイパス端子構造の場合、端子台及び切換用接続体のいずれも一体型であるため、電力量計の種類に合わせて多種のものを用意する必要がある。さらには、可動接触子をつまみによって進退させる必要があるため、構造が複雑でその分部品点数が増えてコスト高になるという問題がある。
【０００９】
そこで、本発明は、上記問題点を鑑み、計器の種類に合わせて作製する必要がなく、簡単且つ安価な計器用バイパス端子構造から派生して、広く一般的に適用できる接続端子構造を提供することを目的とする。
【課題を解決するための手段】
【００１０】
前記課題を解決するために、本発明に係る接続端子構造は、台錐状の接触面３１が互いに反対方向に突出して形成される雄端子３０と、該各接触面３１、３１に接離可能な接触凹部３３を有する一対の雌端子３２、３２と、該各雌端子３２、３２にそれぞれ接続される電源側の導体６ａ及び負荷側の導体６ｂと、雄端子３０及び各雌端子３２、３２を締結する締結部材とを備えたことを特徴とする。
【００１１】
かかる構成によれば、雄端子３０の台錐状の接触面３１が両側に突出して形成されているので、該接触面３１、３１を中心にして各雌端子３２、３２を回動することができ、雌端子３２、３２の位置、即ち各雌端子３２、３２に接続されている導体６ａ、６ｂを所望の位置で固定できるようになる。したがって、接続される一対の電線を、所望する位置に引き回すことができる。
【００１２】
また、本発明によれば、上記雄端子３０には、軸線に沿って貫通孔３１ａが形成され、上記各雌端子３２、３２の接触凹部３３の底部には、挿通孔３３ａが形成され、上記締結部材は、雄端子３０と各雌端子３２、３２とが一体化された状態において、一方の雌端子３２の挿通孔３３ａ、雄端子３０の貫通孔３１ａを通って他方の雌端子３２の挿通孔３３ａに挿通されるねじ棒３５と、他方の雌端子３２の挿通孔３３ａから臨出するねじ棒３５の先端部に螺合するナット３６とから構成するようにしてもよい。
【００１３】
かかる構成によれば、雄端子３０と各雌端子３２、３２とが一体化された状態において、一方の雌端子３２の挿通孔３３ａ、雄端子３０の貫通孔３１ａを通って他方の雌端子３２の挿通孔３３ａにねじ棒３５が挿通され、他方の雌端子３２の挿通孔３３ａから臨出するねじ棒３５の先端部にナット３６が螺合するので、雄端子３０と各雌端子３２、３２との確実な接触状態を確保することができる。
【００１４】
また、本発明によれば、上記雄端子３０に、貫通孔３１ａに連通すべくその長さ方向に沿ってスリット３１ｂを形成するような構成を採用することもできる。
【００１５】
かかる構成によれば、雄端子３０に、貫通孔３１ａに連通すべくその長さ方向に沿ってスリット３１ｂを形成するようにしたので、雄端子３０の接触面３１と、雌端子３２、３２の接触凹部３３、３３との接触面積が大きくなって、雄端子３１と各雌端子３２、３２とを確実に接触させることができ、確実に電気的接続が行われる。
【００１６】
また、本発明によれば、上記各雌端子３２、３２は、その対向面となる前記各接触凹部３３、３３の開口周縁部を平坦面に形成するような構成を採用することもできる。
【００１７】
かかる構成によれば、各雌端子３２，３２の対向面が平坦面であることから、各雌端子３２，３２に溶着される各導体６ａ，６ｂを、あらゆる方向、すなわち、所望する位置に引き回すことができる。
【発明の効果】
【００１８】
以上のように、本発明によれば、両側に突出する雄端子の一対の台錐状の接触面に、該各接触面に、一対の雌端子の接触凹部を接触させるようにしたので、接続される一対の電線を、所望する位置に引き回すことができる。
【図面の簡単な説明】
【００１９】
【図１】本発明の実施形態に係る計器用バイパス端子構造を示す斜視図である。
【図２】図１の側断面図である。
【図３】本発明の実施形態に係る接続端子構造を示す断面図である。
【発明を実施するための形態】
【００２０】
以下、本発明の実施形態に係る計器用バイパス端子構造について、添付図面を参照しつつ説明する。
【００２１】
該計器用バイパス端子構造は、一次側電線及び二次側電線が接続された、例えば電力量計などの計器において、負荷側を通電した状態で計器の交換や補修ができるようにしたものである。この実施形態においては、電力量計１に使用される計器用バイパス端子構造を例にとって説明する。この計器用バイパス端子構造は、例えば図１及び図２に示すように、電力量計１に設けられた複数の端子２に着脱可能に装着される個別端子台５と、該個別端子台５とによって、負荷側への通電状態を維持するための迂回通電回路を形成する接続体１５とから構成されている。なお、電力量計１は、端子２と計器本体３とが着脱可能に構成されているものとする。
【００２２】
個別端子台５は、縦長の直方体形状の中継端子７と、該中継端子７の上端に一体に設けられた横長の直方体形状の雌端子１０と、その基端部が雌端子１０の上面に一体化されて延設された棒状の接触導体１２とを備えている。そして、中継端子７、雌端子１０、及び接触導体１２は一体化された金属体（電気導体）であり、外部から電気を供給したり、外部へ電気を導出したりする場合に使用することができる。
【００２３】
中継端子７には、その下部に、電源側の屋外電線（一次側電線）６ａ、又は負荷側の屋内電線（二次側電線）６ｂの何れか一方が接続される挿入孔８が軸線に沿って形成されている。しかも、該挿入孔８の正面側の側壁部には、複数の止めねじ９が挿入孔８の軸線に対して直交方向に螺合しており、止めねじ９によって屋外電線６ａ又は屋内電線６ｂの接続状態が維持できるようになっている。
【００２４】
雌端子１０には、その軸線に沿って接触凹部１１が前端から後部にかけて形成されており、該接触凹部１１は、外側（前側）に向かうにしたがって大きく開口したテーパ状を呈している。さらに、接触凹部１１の底部には、後述するねじ棒２６の先端部が螺合する螺孔１１ａがその軸線に沿って形成されている。
【００２５】
接触導体１２は、中継端子７の挿入孔８に対して略同心状に位置しており、例えば電力量計１に設けられた端子２に着脱可能に接続される。
【００２６】
そして、個別端子台５は、ゴム材や合成樹脂材などからなる絶縁性のケース１３によって被覆されている。但し、中継端子７の止めねじ９の螺合部位、中継端子７の挿入孔８の開口部、雌端子１０の接触凹部１１の開口部、及び接触導体１２の先端側は被覆されていない。
【００２７】
接続体１５は、雌端子１０の接触凹部１１に接離可能な接触面を有する接触子としての雄端子１６と、該雄端子１６を二つ一組に接続する接続導体としてのケーブル２０と、個別端子台５の雌端子１０及び接続体１５の雄端子１６を締結する締結手段２５とを備えている。
【００２８】
雄端子１６は、雌端子１０の接触凹部１１に対応する台錐状（円台錐状）を呈しており、小径部が接触凹部１１の奥部に位置し、且つ大径部が接触凹部１１の開口端に位置した時が、雄端子１６と雌端子１０との接続状態となる。さらに、雄端子１６の軸線に沿って貫通孔１７が穿設されると共に、その周面に長さ方向に沿ってスリット１８が形成されている。このスリット１８は、貫通孔１７と連通しており、該貫通孔１７の径外方向に形成されている。つまり、雄端子１６が雌端子１０の接触凹部１１の開口端から奥部に向かって挿入されるにしたがって、スリット１８の幅が小さくなると共に、貫通孔１７が縮径される一方、貫通孔１７の縮径によって雄端子１６の筒状部に径外方向に拡径しようとする応力が作用し、雄端子１６の外周面が接触凹部１１の内周面に圧接することになる。
【００２９】
また、貫通孔１７の中途部には、螺溝１９が形成されており、これによって、二重の締結構造と、雄端子１６の引抜構造とが備わることになる。即ち、雄端子１６は、後述するねじ棒２６が螺溝１９に螺合した状態で雌端子１０の螺孔１１ａに螺合するので、接触凹部１１の奥端部までしっかりと挿入されると共に、確実に面接触することになる。一方、ねじ棒２６の螺孔１１ａに対する螺合が解除されても、ねじ棒２６が螺溝１９に螺合していれば、ねじ棒２６と雄端子１６とが一体化されているので、ねじ棒２６の頭部を把持して雄端子１６を雌端子１０から容易に引き出すことができる。
【００３０】
ケーブル２０は、両端部を除いて絶縁被覆されており、露出した両端部の導体２１が、雄端子１６の幅広の端面に溶着されている。さらに、この溶着部位が、絶縁性を有する筒状の保護部材（チューブ）２２によって保護されている。
【００３１】
締結手段２５は、雌端子１０の螺孔１１ａと、雄端子１６の貫通孔１７、スリット１８、及び螺溝１９と、貫通孔１７に挿通されると共に、螺孔１１ａ及び螺溝１９に螺合するねじ棒２６とから構成されている。このねじ棒２６は、中間部分から頭部まで棒状で、中間部分から先端部までがねじ部となっており、棒状部はねじ部よりも細径になっている。なお、ねじ棒２６としては、平ねじ又は皿ねじが選択可能である。
【００３２】
つぎに使用態様について説明する。まず、電力量計１に設けられた複数の端子２には、個別端子台５の接触導体１２が予め接続されており、さらに、この個別端子台５の中継端子７には、屋外電線６ａ及び屋内電線６ｂが、例えば３相３線式、単相２線式などの線数に合わせて予め接続されている。なお、図１においては簡略しているが、３相３線式で、屋外電線６ａ及び屋内電線６ｂがそれぞれ３本ずつ左半分と右半分とに分かれて接続されているものとする。
【００３３】
この状態において、電力量計１の交換や点検を行う場合には、個別端子台５の雌端子１０に雄端子１６を接触させる。即ち、雌端子１０のテーパ状の接触凹部１１に、台錐状の雄端子１６を挿入し、ねじ棒２６を雄端子１６の螺溝１９に螺合させた後、雌端子１０の螺孔１１ａに螺合させて締め付ける。この際、上述したように、雄端子１６が挿入されるにしたがって、雄端子１６のスリット１８の間隔が小さくなり、雄端子１６の内径が縮小されて接触凹部１１の壁面に雄端子１６のテーパ面が圧接し、確実に接触することになる。
【００３４】
これによって、同相同士の接触導体１２が短絡接続されることになり、同相同士の屋外電線６ａと屋内電線６ｂが導通接続して、負荷側への迂回通電回路が形成され、無停電の状態で電力量計１の端子部２から計器本体３を分離できて、電力量計１の交換や点検作業が行えるようになる。
【００３５】
なお、上記実施形態の場合、雌端子１０及び雄端子１６ａを電力量計１のバイパス端子構造としたが、このような構造を単に電源側の電線（導体）と負荷側の電線（導体）とを接続する接続端子構造としても拡張して使用できるのはいうまでもない。
【００３６】
また、上記実施形態の場合、計器として電力の時間積分を求める電力量計を例にとって説明したが、本発明は、他の計器、例えば無効電力量計、電量計、ディジタル計器にも適用できる。
【００３７】
つぎに本発明の実施形態に係る接続端子構造について図３を参照して説明する。
本実施形態の接続端子構造は、接触面３１を有する雄端子３０と、該雄端子３０の接触面３１に接離可能な接触凹部３３を有する一対の雌端子３２と、雄端子３０及び雌端子３２を締結する締結部材とから構成されている。
【００３８】
雄端子３０は、側面視略菱形状を呈し、台錐状（円台錐状）の接触面３１が互いに反対方向に突出して形成されている。さらに、軸線方向に沿って、後述する締結部材のねじ棒を挿通させるための貫通孔３１ａが形成されている。加えて、雄端子３０の周面には、長さ方向に沿ってスリット３１ｂが形成されている。
【００３９】
雌端子３２は、比較的平坦な直方体形状を呈し、その略中央に、外側に向かうにしたがって大きく開口したテーパ状の接触凹部３３が厚さ方向に沿って形成されている。しかも、該接触凹部３３の底部から後部にかけてねじ棒３５を挿通させるための挿通孔３３ａが貫穿されている。さらに、電源側、負荷側に接続される電線６ａ、６ｂの導体端部が背面の下部に溶着されており、雌端子３２の接触凹部３３と、その背面に溶着された電線６ａ、６ｂの端部とが電気的に導通接続されている。
【００４０】
締結部材は、両雄端子３０と雌端子３２とが一体化された状態において、一方の雌端子３２の挿通孔３３ａ、雄端子３０の貫通孔３１ａを通って他方の雌端子３２の挿通孔３３ａに挿通される比較的長尺のねじ棒３５と、他方の雌端子３２の挿通孔３３ａから臨出するねじ棒３５の先端部に螺合して、両雌端子３２と雄端子３０とが一体化された状態を維持するナット３６とを有している。
【００４１】
つぎに使用態様について説明する。一方の雌端子３２の接触凹部３３に、雄端子３０の一方の接触面３１を挿入した後、他方の雌端子３２の接触凹部３３に、雄端子３０の他方の接触面３１を挿入する。この際、雄端子３０が挿入されるにしたがって、雄端子３０のスリット３１ｂの間隔が小さくなり、雄端子３０の内径が縮小されて接触凹部３３の壁面に雄端子３０の接触面３１のテーパ面が圧接し、確実に接触することになる。
【００４２】
そして、両雌端子３２と雄端子３０が確実に接触すると、両雌端子３２の対向面が接触し、雄端子３０が両雌端子３２の接触凹部３３に隠れて外側からは見えなくなっている。
【００４３】
この状態において、ねじ棒３５を、一方の雌端子３２の挿通孔３３ａから挿入して、雄端子３０の貫通孔３１ａを通って他方の雌端子３２の挿通孔３３ａに挿通し、他方の雌端子３２の挿通孔３３ａからねじ棒３５の先端部を臨出させ、臨出したねじ棒３５の先端部にナット３６を螺合させる。
【００４４】
この際、両雌端子３２の対向面は平坦であるため、両雌端子３２の対向面が当接した状態においては、電線６ａ、６ｂの位置を所望の位置に回動させることができる。したがって、電線６ａ、６ｂを所望の位置に回動させて、ねじ棒３５、ナット３６を緊締し、両雌端子３２と雄端子３０とが一体化された状態を維持する。
【００４５】
なお、上記実施形態の場合、一対の雌端子３２と、該各雌端子３２に接離可能な一つの雄端子３０とで構成される接続端子構造について説明したが、これに限定されるものではなく、横並びに一体化された複数の雌端子３２と、同様に一体化された複数の雄端子３０とで構成してもよい。
【００４６】
また、上記実施形態の場合、雌端子３２の背面の下部に電線を溶着するようにしたが、導体であってもよい。
【００４７】
さらに、上記各実施形態の雄端子１６、３０の接触面を円台錐状としたが、角台錐状であってもよい。
【符号の説明】
【００４８】
１…電力量計（計器）、２…端子、３…計器本体、５…個別端子台、６ａ…屋外電線（一次側電線）、６ｂ…屋内電線（二次側電線）、７…中継端子、８…挿入孔、９…止めねじ、１０、３２…雌端子、１１、３３…接触凹部、１１ａ…螺孔、１２…接触導体、１３…ケース、１５…接続体、１６、３０…雄端子（接触子）、１７、３１ａ…貫通孔、１８、３１ｂ…スリット、１９…螺溝、２０…ケーブル（接続導体）、２１…導体、２２…チューブ、２５…締結手段、２６、３５…ねじ棒、３３ａ…挿通孔、３６…ナット
【図１】
2011215156.tif 000003
【図２】
2011215156.tif 000004
【図３】
2011215156.tif 000005